(57)【要約】【課題】上下方向に大型化するのを抑制しながら、被読取体の凹凸を読み取ることが可能な画像読取装置及びそれを備えた画像形成装置を提供する。【解決手段】画像読取装置１０は、コンタクトガラス１１と、原稿Ｑに光を照射する照明部２０と、原稿Ｑからの反射光を受光するＣＣＤセンサー１６と、照明部２０から出射した光の進行方向を変更して原稿Ｑに対する光の入射角を変更する平板状のプリズムシート７０と、プリズムシート７０を移動させるシート移動機構９０と、を備える。照明部２０は、第１導光部材２１および第２導光部材２２と、光源２７と、を有する。プリズムシート７０は、シート移動機構９０により、照明部２０から出射した光の進行方向を変更して原稿Ｑに対する光の入射角を変更する角度変更位置と、照明部２０から出射した光の進行方向を変更せず原稿Ｑに対する光の入射角を変更しない退避位置と、に選択配置される。【選択図】図８
2020120238.tif 000002
【特許請求の範囲】
【請求項１】
被読取体が載置されるコンタクトガラスと、
前記コンタクトガラスの下方に配置され、前記被読取体に光を照射する照明部と、
前記被読取体からの反射光を受光し、受光した反射光を電気信号に変換して出力する光電変換部と、
前記照明部と前記コンタクトガラスとの間に配置され、前記照明部から出射した光の進行方向を変更して前記被読取体に対する光の入射角を変更する平板状のプリズムシートと、
前記プリズムシートを移動させるシート移動機構と、
を備え、
前記照明部は、
主走査方向に延びるとともに、前記被読取体で反射され前記光電変換部で受光される光の光軸に対して副走査方向の一方側および他方側にそれぞれ配置され、光を前記主走査方向に沿って導光しながら前記被読取体に向かって出射する第１導光部材および第２導光部材と、
前記第１導光部材の主走査方向一方端および前記第２導光部材の主走査方向他方端にそれぞれ形成された光入射面に対向配置される光源と、
を有し、
前記プリズムシートは、前記シート移動機構により、前記照明部から出射した光の進行方向を変更して前記被読取体に対する光の入射角を変更する角度変更位置と、前記照明部から出射した光の進行方向を変更せず前記被読取体に対する光の入射角を変更しない退避位置と、に選択配置されることを特徴とする画像読取装置。
【請求項２】
前記シート移動機構を制御する移動制御部をさらに備え、
前記プリズムシートが前記角度変更位置に配置された状態における前記被読取体に対する光の入射角は、前記プリズムシートが前記退避位置に配置された状態における前記被読取体に対する光の入射角よりも大きく、
前記移動制御部は、
前記被読取体の画像を読み取る通常読取モードにおいて、前記プリズムシートを前記退避位置に配置し、
表面に凹凸を有する前記被読取体の凹凸および画像を読み取るエンボス読取モードにおいて、前記プリズムシートを前記角度変更位置に配置することを特徴とする請求項１に記載の画像読取装置。
【請求項３】
前記通常読取モードにおいて前記第１導光部材から前記被読取体に向かう光の光軸と前記第２導光部材から前記被読取体に向かう光の光軸との交点と、前記コンタクトガラスの上面と、の距離は、前記エンボス読取モードにおいて前記第１導光部材から前記被読取体に向かう光の光軸と前記第２導光部材から前記被読取体に向かう光の光軸との交点と、前記コンタクトガラスの上面と、の距離よりも短いことを特徴とする請求項２に記載の画像読取装置。
【請求項４】
前記プリズムシートには、前記副走査方向に対して傾斜する第１傾斜面を有するプリズムが複数設けられていることを特徴とする請求項１〜３のいずれか１項に記載の画像読取装置。
【請求項５】
前記プリズムは、前記主走査方向に対して傾斜する第２傾斜面をさらに有することを特徴とする請求項４に記載の画像読取装置。
【請求項６】
前記プリズムシートは、前記第１導光部材と前記コンタクトガラスとの間に配置され、前記第１導光部材から出射した光の進行方向を変更する第１シートと、前記第２導光部材と前記コンタクトガラスとの間に配置され、前記第２導光部材から出射した光の進行方向を変更する第２シートと、を含み、
前記第１シートは、前記角度変更位置から前記副走査方向の一方側に移動されることにより前記退避位置に配置され、
前記第２シートは、前記角度変更位置から前記副走査方向の他方側に移動されることにより前記退避位置に配置されることを特徴とする請求項１〜５のいずれか１項に記載の画像読取装置。
【請求項７】
前記シート移動機構は、前記プリズムシートを前記角度変更位置から前記退避位置に向かう方向に付勢する付勢部材と、前記プリズムシートを前記付勢部材の付勢力に抗して前記退避位置から前記角度変更位置に向かう方向に移動させるワイヤーと、前記ワイヤーを巻き取る巻き取り装置と、を有することを特徴とする請求項１〜６のいずれか１項に記載の画像読取装置。
【請求項８】
請求項１〜７のいずれか１項に記載の画像読取装置と、
前記画像読取装置により読み取られた画像データに基づいて記録媒体に画像を形成する画像形成部と、
を備えることを特徴とする画像形成装置。
【発明の詳細な説明】
【技術分野】
【０００１】
本発明は、デジタル複写機やイメージスキャナー等に用いられる、被読取体の画像等を読み取る画像読取装置及びそれを備えた画像形成装置に関する。
【背景技術】
【０００２】
従来、原稿（被読取体）が載置されるコンタクトガラスと、コンタクトガラス下に配置される光源を含む照明装置と、原稿からの反射光を受光して電気信号に変換するＣＣＤセンサー等からなる光電変換部と、を備えた画像読取装置が知られている。
【０００３】
画像読取装置は、通常、印字物や写真等の平面上に記録された画像を読み取るが、クレジットカードや点字文書等に形成された凹凸（エンボス情報）を読み取ることも要求される。
【０００４】
そこで、表面に凹凸を有さない原稿の画像を読み取る通常読取モードにおいて原稿に対して正面方向から光を照射する第１の照明装置と、表面に凹凸を有するクレジットカードや点字文書等（被読取体）の凹凸を読み取るエンボス読取モードにおいて被読取体に対して斜め方向から光を照射する第２の照明装置と、を備えた画像読取装置が知られている（例えば特許文献１参照）。第１の照明装置は、８個の第１の光源と、第１の光源からの光を原稿に向かって反射する凹状に湾曲した反射板と、を含んでいる。第２の照明装置は、１０個の第２の光源と、第２の光源からの光を被読取体に導く２個のレンズと、を含んでいる。また、拡散板は、第１の光源、第２の光源およびレンズの上方を覆うように配置されている。
【０００５】
この画像読取装置では、第１の照明装置を用いた場合、原稿に対して正面方向から光を照射することにより、原稿にしわや折り目が形成されている場合であっても、影が生じるのを抑制することができるので、原稿の画像を読み取ることができる。また、第２の照明装置を用いた場合、被読取体に対して斜め方向から光を照射することにより、被読取体の凹凸に応じて影が生じるので、凹凸を読み取ることができる。
【先行技術文献】
【特許文献】
【０００６】
【特許文献１】特開２００７−４８０４６号公報
【発明の概要】
【発明が解決しようとする課題】
【０００７】
しかしながら、上記従来の画像読取装置では、凹状に湾曲した反射板が第１の光源、第２の光源およびレンズの上方を覆うように配置されているため、画像読取装置が上下方向に大きくなってしまう、という問題点があった。
【０００８】
本発明は、上記のような課題を解決するためになされたものであり、本発明の目的は、上下方向に大型化するのを抑制しながら、被読取体の凹凸を読み取ることが可能な画像読取装置及びそれを備えた画像形成装置を提供することである。
【課題を解決するための手段】
【０００９】
上記目的を達成するために、本発明の第１の局面に係る画像読取装置は、被読取体が載置されるコンタクトガラスと、コンタクトガラスの下方に配置され、被読取体に光を照射する照明部と、被読取体からの反射光を受光し、受光した反射光を電気信号に変換して出力する光電変換部と、照明部とコンタクトガラスとの間に配置され、照明部から出射した光の進行方向を変更して被読取体に対する光の入射角を変更する平板状のプリズムシートと、プリズムシートを移動させるシート移動機構と、を備える。照明部は、主走査方向に延びるとともに、被読取体で反射され光電変換部で受光される光の光軸に対して副走査方向の一方側および他方側にそれぞれ配置され、光を主走査方向に沿って導光しながら被読取体に向かって出射する第１導光部材および第２導光部材と、第１導光部材の主走査方向一方端および第２導光部材の主走査方向他方端にそれぞれ形成された光入射面に対向配置される光源と、を有する。プリズムシートは、シート移動機構により、照明部から出射した光の進行方向を変更して被読取体に対する光の入射角を変更する角度変更位置と、照明部から出射した光の進行方向を変更せず被読取体に対する光の入射角を変更しない退避位置と、に選択配置される。
【発明の効果】
【００１０】
本発明の第１の局面に係る画像読取装置によれば、プリズムシートは、シート移動機構により、照明部から出射した光の進行方向を変更して被読取体に対する光の入射角を変更する角度変更位置と、照明部から出射した光の進行方向を変更せず被読取体に対する光の入射角を変更しない退避位置と、に選択配置される。これにより、被読取体にしわや折り目が形成されている場合であっても、被読取体に対して正面方向から光を照射することにより、影が生じるのを抑制することができるので、被読取体の画像を読み取ることができる。また、被読取体に対して斜め方向から光を照射することにより、被読取体の凹凸に応じて影が生じるので、凹凸を読み取ることができる。
【００１１】
また、照明部とコンタクトガラスとの間に平板状のプリズムシートを配置するので、光源の上方に凹状に湾曲した反射板を配置する上記従来の画像読取装置と比べて、画像読取装置が上下方向に大型化するのを抑制することができる。
【００１２】
また、主走査方向に延びるとともに、光を主走査方向に沿って導光しながら被読取体に向かって出射する第１導光部材および第２導光部材を用いて被読取体を照明するので、主走査方向に沿って配置された複数の光源により被読取体を直接照明する場合（例えば上記従来の画像読取装置の場合）と異なり、被読取体を主走査方向に均一に照明することができる。
【図面の簡単な説明】
【００１３】
【図１】本発明の一実施形態に係る画像読取装置を備えた画像形成装置の内部構成を示す正面断面図である。
【図２】本発明の一実施形態の画像読取装置の内部構成を示す正面断面図である。
【図３】本発明の一実施形態の画像読取装置の上面図である。
【図４】本発明の一実施形態の画像読取装置の第１導光部材および第２導光部材周辺の構造を示す図であり、プリズムシートを退避位置に配置したときの光の進行方向を示す図である。
【図５】本発明の一実施形態の画像読取装置の第１導光部材および第２導光部材周辺の構造を示す図であり、プリズムシートを退避位置に配置したときの光の進行方向を示すイメージ図である。
【図６】本発明の一実施形態の画像読取装置の光学ユニットの内部構造を示す図である。
【図７】本発明の一実施形態の画像読取装置の光学ユニットの内部構造を示す上面図である。
【図８】本発明の一実施形態の画像読取装置の第１導光部材および第２導光部材周辺の構造を示す図であり、プリズムシートを角度変更位置に配置したときの光の進行方向を示す図である。
【図９】本発明の一実施形態の画像読取装置の第１導光部材および第２導光部材周辺の構造を示す図であり、プリズムシートを角度変更位置に配置したときの光の進行方向を示すイメージ図である。
【図１０】本発明の一実施形態の画像読取装置のプリズムシートのプリズムの構造を示す拡大図である。
【図１１】本発明の一実施形態の画像読取装置のプリズムシートのプリズムの構造を示す拡大図である。
【図１２】本発明の一実施形態の画像読取装置のプリズムシートを退避位置に配置したときに第１導光部材および第２導光部材から出射する光を副走査方向から見た図である。
【図１３】本発明の一実施形態の画像読取装置のプリズムシートを角度変更位置に配置したときに第１導光部材および第２導光部材から出射する光を副走査方向から見た図である。
【図１４】本発明の一実施形態の画像読取装置の制御経路の一例を示すブロック図である。
【発明を実施するための形態】
【００１４】
以下、本発明の実施形態について図面を参照して説明する。
【００１５】
図１は、本発明の一実施形態に係る画像読取装置１０を備えた画像形成装置１００の内部構成を示す正面断面図であり、図２は、本発明の一実施形態の画像読取装置１０の内部構成を示す正面断面図であり、図３は、本発明の一実施形態の画像読取装置１０の上面図である。
【００１６】
図１に示すように、画像形成装置１００は、装置本体の下部に配設された給紙部１と、給紙部１の右方および上方に配設された用紙搬送部２と、用紙搬送部２の上方に配設された画像形成部３と、画像形成部３よりも用紙搬送方向下流側に配設された定着部４と、これらの画像形成部３および定着部４の上方に配設された画像読取装置１０と、この画像読取装置１０の上方に配設された原稿搬送装置６とを備えている。
【００１７】
用紙搬送部２は、給紙部１から給紙された用紙（記録媒体）を画像形成部３に向けて搬送し、さらに、画像形成部３から定着部４において画像形成が施された用紙を排出トレイ７上に排出するようになっている。
【００１８】
画像形成部３は、電子写真プロセスによって、画像読取装置１０により読み取られた原稿の画像データに基づいて用紙に所定のトナー像を形成する。定着部４は、画像形成部３においてトナー像が転写された用紙にトナー像を定着させる。
【００１９】
原稿搬送装置６は、コピー（複写）開始の指示入力などに応答して、原稿トレイ８上に載置された原稿を自動的に１枚ずつ搬送するとともに、原稿の露光走査後に原稿排出トレイ（図示略）上へ排出させる、いわゆるシートスルー方式の原稿読み取りを行うものである。
【００２０】
画像読取装置１０は、原稿搬送装置６によって搬送される原稿やコンタクトガラス上に載置された原稿に光を照射して、その反射光を電気信号に変換することにより原稿の画像情報を読み取るとともに、その原稿画像に対応する画像データを生成するものである。
【００２１】
図２に示すように、画像読取装置１０には、原稿Ｑの画像面（図２の下面）に光を照射する照明部２０と、原稿Ｑからの反射光（画像光）を受光して電気信号に変換するＣＣＤセンサー（光電変換部）１６と、が設けられており、原稿Ｑの画像や後述する凹凸を読み取ることが可能である。なお、図２では、原稿反射光の光路を一点鎖線で示している。
【００２２】
画像読取装置１０の上面には図２および図３に示すように、コンタクトガラス１１と、原稿固定方式で原稿Ｑを読み取る際に原稿Ｑの左端（副走査方向（矢印Ｙ方向）の一方端、図２の左端）を突き当てて位置決めするための位置決め部材１２と、原稿の奥端（主走査方向（矢印Ｘ方向）の一方端、図３の上端）を突き当てて位置決めするための位置決め部材１３と、が設けられている。なお、位置決め部材１２の下部には、白色基準板１４が嵌め込まれている。
【００２３】
コンタクトガラス１１は、位置決め部材１２に対して副走査方向一方側（図２の左側）に配置される第１画像読取部Ｒ１と、位置決め部材１２に対して副走査方向他方側（図２の右側）に配置される第２画像読取部Ｒ２と、を有する。原稿搬送装置６によって原稿Ｑを自動的に搬送して読み取るシートスルー方式の場合、原稿搬送装置６によって原稿Ｑが第１画像読取部Ｒ１に搬送され、第１画像読取部Ｒ１を通過している原稿Ｑの画像を読み取る。一方、原稿搬送装置６を用いない原稿固定方式では、読み取る毎に原稿搬送装置６を開閉してコンタクトガラス１１の第２画像読取部Ｒ２に原稿を１枚ずつ取り替えて読み取りを行う。
【００２４】
コンタクトガラス１１の下方には図２に示すように、照明部２０を有し、副走査方向に往復移動可能な光学ユニット３０と、原稿Ｑからの反射光を反射するとともに、副走査方向に往復移動可能な反射ユニット４０と、反射ユニット４０からの光を受光するＣＣＤセンサー１６を有する光電変換ユニット１５と、光学ユニット３０および反射ユニット４０を副走査方向に移動させる駆動モーター５１を有する駆動機構５０（図１４参照）と、等が設けられている。
【００２５】
光学ユニット３０は、照明部２０の他に、照明部２０から出射し原稿Ｑで反射された反射光を直接受けて所定方向（図２の左方向）に反射する第１ミラー３１を有する。なお、照明部２０周辺の詳細構造については後述する。
【００２６】
反射ユニット４０は図２に示すように、第１ミラー３１からの反射光を受けて反射する第２ミラー４１と、第２ミラー４１からの反射光を受けて光電変換ユニット１５に向かって反射する第３ミラー４２と、を有する。
【００２７】
光電変換ユニット１５は、反射ユニット４０からの反射光を導入して集光するレンズ群１７と、このレンズ群１７で集光された原稿反射光を受けて電気信号に変換するＣＣＤセンサー１６と、を有し、画像読取装置１０のフレーム１０ａに固定されている。
【００２８】
ここで、照明部２０及び第１ミラー３１は光学ユニット３０の筐体３０ａ（図６参照）に一体的に固定され、また、第２ミラー４１および第３ミラー４２は反射ユニット４０の筐体（図示せず）に一体的に固定されており、これらの光学ユニット３０と反射ユニット４０は、相互に独立しているが連携して往復移動可能になっている。
【００２９】
つまり、上記のシートスルー方式で原稿画像の読取動作が行われる際は、光学ユニット３０が第１画像読取部Ｒ１の直下に移動し、原稿反射光の光路長は所定長さに保持される。他方、原稿固定方式の際は、光学ユニット３０と反射ユニット４０は相互に原稿反射光の光路長を上記所定長さに維持しながら第２画像読取部Ｒ２を往復移動する。
【００３０】
このような構成のもと、照明部２０から照射されて原稿Ｑの画像面で反射した原稿反射光は、第１ミラー３１、第２ミラー４１および第３ミラー４２で反射してレンズ群１７に導入され、レンズ群１７で集光されてＣＣＤセンサー１６上に結像する。ＣＣＤセンサー１６は、受光した反射光を電気信号に変換して出力する。
【００３１】
次に、照明部２０の詳細構造について説明する。
【００３２】
照明部２０は、主走査方向に延びる棒状（ここでは略円柱状）の第１導光部材２１および第２導光部材２２と、２個の光源２７と、によって構成されている。光源２７は、ＬＥＤなどの発光素子からなる。
【００３３】
図２に示すように、第１導光部材２１および第２導光部材２２は、原稿Ｑで反射されＣＣＤセンサー１６で受光される光の光軸Ｌに対して副走査方向の一方側（左側）および他方側（右側）にそれぞれ配置されている。図３に示すように、第１導光部材２１は、主走査方向一方端（図３の下端）に形成された光入射面２１ａと、主走査方向他方端（図３の上端）に形成された反対面２１ｂと、を有する。第２導光部材２２は、主走査方向他方端（図３の上端）に形成された光入射面２２ａと、主走査方向一方端（図３の下端）に形成された反対面２２ｂと、を有する。
【００３４】
第１導光部材２１の光入射面２１ａおよび第２導光部材２２の光入射面２２ａには、光源２７が対向配置されている。第１導光部材２１の反対面２１ｂおよび第２導光部材２２の反対面２２ｂには、光を反射するアルミニウムテープなどからなる反射シート２８が貼り付けられている。光源２７から出射した光は、第１導光部材２１および第２導光部材２２に入射し、主走査方向に導光される。
【００３５】
図４に示すように、第１導光部材２１および第２導光部材２２の各々は、下部（原稿Ｑとは反対側の部分）に主走査方向に延びるプリズム領域２３と、上部（原稿Ｑ側の部分）に主走査方向に延びる光出射領域２５と、を有する。
【００３６】
図４および図５に示すように、プリズム領域２３は、光源２７から出射し光入射面２１ａおよび２２ａに入射した光を光出射領域２５に向かって反射する。光出射領域２５は、プリズム領域２３からの光を原稿Ｑに向かって出射する。
【００３７】
プリズム領域２３には図５に示すように、凹状のプリズム２３ａが主走査方向に沿って複数設けられている。プリズム２３ａは、主走査方向に対して傾斜し、光入射面２１ａおよび２２ａに入射した光を光出射領域２５に向かって反射する反射面２３ｂと、主走査方向に対して略垂直に配置された垂直面２３ｃと、を有する。このため、光源２７から出射し第１導光部材２１および第２導光部材２２に入射した光は、プリズム領域２３で反射され光出射領域２５から原稿Ｑに向かって出射する。
【００３８】
ここで、本実施形態では図６および図７に示すように、光学ユニット３０には、照明部２０とコンタクトガラス１１（図４参照）との間に配置され、照明部２０から出射した光の進行方向を変更して原稿Ｑに対する光の入射角を変更する平板状のプリズムシート７０と、プリズムシート７０を移動させるシート移動機構９０と、が設けられている。なお、図７では、理解を容易にするために、プリズムシート７０を２点鎖線で示している。
【００３９】
図８および図９に示すように、プリズムシート７０は、第１導光部材２１とコンタクトガラス１１との間に配置され、第１導光部材２１から出射した光の進行方向を変更する第１シート７１と、第２導光部材２２とコンタクトガラス１１との間に配置され、第２導光部材２２から出射した光の進行方向を変更する第２シート７２と、を含んでいる。
【００４０】
第１シート７１および第２シート７２の上面の略全域には、光の進行方向を変更する（光を屈折させる）凸状の複数のプリズム７５（図１０参照）が形成されている。なお、プリズム７５は、本発明の「プリズム」の一例である。
【００４１】
プリズム７５は図８および図１０に示すように、副走査方向に対して傾斜する第１傾斜面７５ａを有する。これにより、副走査方向から見て、原稿Ｑに入射する光の入射角が変更される。ここでは、副走査方向から見て、原稿Ｑに入射する光の入射角が大きくなる（図４および図８参照）。なお、第１シート７１と第２シート７２とでは図８に示すように、プリズム７５の第１傾斜面７５ａの傾斜方向は副走査方向に対称になっている。
【００４２】
また、プリズム７５は図９および図１１に示すように、主走査方向に対して傾斜する第２傾斜面７５ｂを有する。これにより、主走査方向から見て、原稿Ｑに入射する光の入射角が変更される。ここでは、主走査方向から見て、原稿Ｑに入射する光の入射角が大きくなる（図１２および図１３参照）。なお、第１シート７１と第２シート７２とでは図９に示すように、プリズム７５の第２傾斜面７５ｂの傾斜方向は主走査方向に対称になっている。
【００４３】
第１シート７１および第２シート７２は、シート移動機構９０により、照明部２０から出射した光の進行方向を変更して原稿Ｑに対する光の入射角を変更する角度変更位置（図８の位置）と、照明部２０から出射した光の進行方向を変更せず原稿Ｑに対する光の入射角を変更しない退避位置（図４の位置）と、に選択配置される。なお、第１シート７１は、角度変更位置から副走査方向の一方側（図８の左側）に移動されることにより退避位置に配置され、第２シート７２は、角度変更位置から副走査方向の他方側（図８の右側）に移動されることにより退避位置に配置される。
【００４４】
また、図４に示すように、プリズムシート７０が退避位置に配置された状態において第１導光部材２１から原稿Ｑに向かう光の光軸と、第２導光部材２２から原稿Ｑに向かう光の光軸と、の交点Ｐ２３は、コンタクトガラス１１の上面上、又はコンタクトガラス１１の上面から少しだけ上方の位置に配置される。その一方、図８に示すように、プリズムシート７０が角度変更位置に配置された状態において第１導光部材２１から原稿Ｑに向かう光の光軸と、第２導光部材２２から原稿Ｑに向かう光の光軸と、の交点Ｐ２４は、コンタクトガラス１１の下面から所定距離隔てた下方の位置に配置される。このため、交点Ｐ２３とコンタクトガラス１１の上面との距離Ｌ２３（図４参照）は、交点Ｐ２４とコンタクトガラス１１の上面との距離Ｌ２４（図８参照）よりも短くなっている。
【００４５】
シート移動機構９０は図６に示すように、保持部材９１ａおよび９１ｂと、付勢部材９２ａおよび９２ｂと、ワイヤー９３ａおよび９３ｂと、巻き取りプーリー９４と、巻き取り駆動モーター９５と、を含んでいる。
【００４６】
保持部材９１ａおよび９１ｂは、第１シート７１および第２シート７２をそれぞれ保持する。
【００４７】
付勢部材９２ａおよび９２ｂは、引張バネからなる。付勢部材９２ａおよび９２ｂの一端は、保持部材９１ａおよび９１ｂにそれぞれ取り付けられており、付勢部材９２ａおよび９２ｂの他端は、光学ユニット３０の筐体３０ａに取り付けられている。そして、付勢部材９２ａおよび９２ｂは、保持部材９１ａおよび９１ｂを角度変更位置から退避位置に向かう方向（副走査方向外側）にそれぞれ付勢する。
【００４８】
ワイヤー９３ａおよび９３ｂの一端は、保持部材９１ａおよび９１ｂにそれぞれ取り付けられている。ワイヤー９３ａおよび９３ｂの他端は、巻き取りプーリー９４に巻きつけられている。巻き取りプーリー９４がワイヤー９３ａおよび９３ｂを巻き取ることによって、ワイヤー９３ａおよび９３ｂは、第１シート７１および第２シート７２を付勢部材９２ａおよび９２ｂの付勢力に抗して退避位置から角度変更位置に向かう方向（副走査方向内側）に移動させる。
【００４９】
図６および図７に示すように、付勢部材９２ａおよび９２ｂ、ワイヤー９３ａおよび９３ｂ、巻き取りプーリー９４の各々は、主走査方向の両側に１つずつ設けられている。一対の巻き取りプーリー９４は、１つの回転軸９６の両端に固定されている。回転軸９６には、プーリー９７が固定されている。プーリー９７および巻き取り駆動モーター９５のプーリー９５ａには、回転力を伝達するベルト９８が巻かれており、巻き取り駆動モーター９５が正逆回転することにより、回転軸９６が正逆回転し、第１シート７１および第２シート７２が副走査方向に移動する。なお、巻き取りプーリー９４、巻き取り駆動モーター９５、回転軸９６、プーリー９７、ベルト９８によって、ワイヤー９３ａおよび９３ｂを巻き取る巻き取り装置が構成されている。
【００５０】
図１４は、画像読取装置１０の制御経路の一例を示すブロック図である。図１４に示すように、制御部（移動制御部）８０は、ＣＰＵ（Central Processing Unit）、ＲＯＭ（Read Only Memory）およびＲＡＭ（Random Access Memory）等によって構成されており、操作パネル（取得部）６０からの入力信号を受信したりするように構成されている。制御部８０は、画像読取装置１０全体を制御する。なお、制御部８０は、画像形成装置１００を制御する本体制御部（図示せず）との間で通信可能で、画像読取装置１０のみを制御するように構成されていてもよいし、画像形成装置１００を制御する本体制御部を兼ねるように構成されていてもよい。
【００５１】
例えば、制御部８０は、設定されたプログラムに従い駆動機構５０の駆動モーター５１に制御信号を送信して光学ユニット３０及び反射ユニット４０の駆動を制御するとともに、照明部２０の光源２７の発光タイミングを制御する。また、制御部８０は、設定されたプログラムに従いシート移動機構９０の巻き取り駆動モーター９５に制御信号を送信してシート移動機構９０の駆動を制御する。また、制御部８０は、ＣＣＤセンサー１６からの電気信号を、必要に応じて解像度処理、変倍処理或いは階調処理して画像データを作成する。
【００５２】
操作パネル６０には、ユーザーにより原稿Ｑの種類に関する情報が入力される。具体的には、操作パネル６０には、ユーザーにより原稿Ｑのサイズに関する情報が入力される。また、操作パネル６０には、表面に凹凸を有さない原稿Ｑ等の画像を読み取る通常読取モードを実行するか、又は表面に凹凸を有する原稿Ｑ等（例えばクレジットカードや点字文書）の凹凸および画像を読み取るエンボス読取モードを実行するか、がユーザーにより入力される。そして、操作パネル６０は、取得した情報を制御部８０に送信する。
【００５３】
この画像読取装置１０では、通常読取モードを実行する場合、制御部８０はプリズムシート７０を退避位置に配置する。これにより、図４および図５に示すように、原稿Ｑ等は正面方向（入射角の小さい方向）から照明されるので、原稿Ｑ等にしわや折り目が形成されている場合であっても、影が生じるのを抑制することができる。
【００５４】
その一方、エンボス読取モードを実行する場合、制御部８０はプリズムシート７０を角度変更位置に配置する。これにより、図８および図９に示すように、原稿Ｑ等（例えばクレジットカードや点字文書）は斜め方向（入射角の大きい方向）から照明されるので、原稿Ｑ等の凹凸に応じた影が生じ、原稿Ｑ等の凹凸および画像を読み取ることができる。
【００５５】
なお、表面に凹凸を有する原稿Ｑ等を斜め方向から照明すると、凹凸の段差の分だけ照明光が光軸からずれる。このとき、原稿Ｑ等に対する光の入射角が大きいため、照明光の光軸からのずれ量（ずれ角度）が大きくなり、照射光量が低下する。このため、凹凸に応じた影が生じる。
【００５６】
本実施形態では、上記のように、プリズムシート７０は、シート移動機構９０により、照明部２０から出射した光の進行方向を変更して原稿Ｑ等に対する光の入射角を変更する角度変更位置と、照明部２０から出射した光の進行方向を変更せず原稿Ｑ等に対する光の入射角を変更しない退避位置と、に選択配置される。これにより、原稿Ｑ等にしわや折り目が形成されている場合であっても、原稿Ｑ等に対して正面方向から光を照射することにより、影が生じるのを抑制することができるので、原稿Ｑ等の画像を読み取ることができる。また、原稿Ｑ等に対して斜め方向から光を照射することにより、原稿Ｑ等の凹凸に応じて影が生じるので、凹凸を読み取ることができる。
【００５７】
また、照明部２０とコンタクトガラス１１との間に平板状のプリズムシート７０を配置するので、光源の上方に凹状に湾曲した反射板を配置する上記従来の画像読取装置と比べて、画像読取装置１０が上下方向に大型化するのを抑制することができる。
【００５８】
また、主走査方向に延びるとともに、光を主走査方向に沿って導光しながら原稿Ｑ等に向かって出射する第１導光部材２１および第２導光部材２２を用いて原稿Ｑ等を照明するので、主走査方向に沿って配置された複数の光源により原稿を直接照明する場合（例えば上記従来の画像読取装置の場合）と異なり、原稿Ｑ等を主走査方向に均一に照明することができる。
【００５９】
また、上記のように、制御部８０は、原稿Ｑ等の画像を読み取る通常読取モードにおいて、プリズムシート７０を退避位置に配置し、表面に凹凸を有する原稿Ｑ等の凹凸および画像を読み取るエンボス読取モードにおいて、プリズムシート７０を角度変更位置に配置する。これにより、通常読取モードにおいて、原稿Ｑ等に対して容易に正面方向から光を照射することができるので、原稿Ｑ等の画像を容易に読み取ることができる。また、エンボス読取モードにおいて、原稿Ｑ等に対して容易に斜め方向から光を照射することができるので、凹凸を容易に読み取ることができる。
【００６０】
また、上記のように、通常読取モードにおいて第１導光部材２１から原稿Ｑ等に向かう光の光軸と第２導光部材２２から原稿Ｑ等に向かう光の光軸との交点Ｐ２３と、コンタクトガラス１１の上面と、の距離Ｌ２３は、エンボス読取モードにおいて第１導光部材２１から原稿Ｑ等に向かう光の光軸と第２導光部材２２から原稿Ｑ等に向かう光の光軸との交点Ｐ２４と、コンタクトガラス１１の上面と、の距離Ｌ２４よりも短い。これにより、エンボス読取モード（プリズムシート７０を角度変更位置に配置した状態）において、原稿Ｑ等の凹凸の段差（高さ）に応じた照射光量の低下を大きくすることができるので、原稿Ｑ等の凹凸に応じた影をより生じさせることができる。このため、凹凸をより読み取りやすくすることができる。
【００６１】
また、上記のように、プリズムシート７０には、副走査方向に対して傾斜する第１傾斜面７５ａを有するプリズム７５が複数設けられている。これにより、副走査方向から見て、原稿Ｑ等に入射する光の入射角を容易に変更することができる。
【００６２】
また、上記のように、プリズム７５は、主走査方向に対して傾斜する第２傾斜面７５ｂを有する。これにより、主走査方向から見て、原稿Ｑ等に入射する光の入射角を容易に変更することができる。
【００６３】
また、上記のように、第１シート７１は、角度変更位置から副走査方向の一方側に移動されることにより退避位置に配置され、第２シート７２は、角度変更位置から副走査方向の他方側に移動されることにより退避位置に配置される。これにより、第１導光部材２１および第２導光部材２２の両方を角度変更位置から副走査方向の例えば一方側に移動させる場合に比べて、第１導光部材２１および第２導光部材２２を少ない移動距離で角度変更位置と退避位置とに移動させることができる。
【００６４】
また、上記のように、シート移動機構９０は、プリズムシート７０を角度変更位置から退避位置に向かう方向に付勢する付勢部材９２ａ、９２ｂと、退避位置から角度変更位置に向かう方向に移動させるワイヤー９３ａ、９３ｂと、ワイヤー９３ａ、９３ｂを巻き取る巻き取り装置（巻き取りプーリー９４、巻き取り駆動モーター９５、回転軸９６、プーリー９７、ベルト９８）と、を有する。これにより、プリズムシート７０を角度変更位置と退避位置とに容易に移動させることができる。
【００６５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６６】
例えば、本発明の画像読取装置が搭載される画像形成装置として、ここではデジタル複合機についてのみ示したが、本発明はアナログ方式の複写機やカラー複写機等の、他のタイプの画像形成装置、或いは画像形成装置と別体のイメージスキャナーにも適用できるのはもちろんである。
【００６７】
また、上記実施形態では、プリズムシート７０が角度変更位置に配置された状態における原稿Ｑ等に対する光の入射角が、プリズムシート７０が退避位置に配置された状態における原稿Ｑ等に対する光の入射角よりも大きくなる例について示したが、本発明はこれに限らない。プリズムシート７０が角度変更位置に配置された状態における原稿Ｑ等に対する光の入射角が、プリズムシート７０が退避位置に配置された状態における原稿Ｑ等に対する光の入射角よりも小さくなってもよい。この場合、通常読取モードにおいてプリズムシート７０を角度変更位置に配置し、エンボス読取モードにおいてプリズムシート７０を退避位置に配置すればよい。
【符号の説明】
【００６８】
３  画像形成部
１０  画像読取装置
１１  コンタクトガラス
１６  ＣＣＤセンサー（光電変換部）
２０  照明部
２１  第１導光部材
２１ａ、２２ａ  光入射面
２２  第２導光部材
２７  光源
７０  プリズムシート
７１  第１シート
７２  第２シート
７５  プリズム
７５ａ  第１傾斜面
７５ｂ  第２傾斜面
８０  制御部（移動制御部）
９０  シート移動機構
９２ａ、９２ｂ  付勢部材
９３ａ、９３ｂ  ワイヤー
１００  画像形成装置
Ｌ  光軸
Ｌ２３、Ｌ２４  距離
Ｐ２３、Ｐ２４  交点
Ｑ  原稿（被読取体）
【図１】
2020120238.tif 000003
【図２】
2020120238.tif 000004
【図３】
2020120238.tif 000005
【図４】
2020120238.tif 000006
【図５】
2020120238.tif 000007
【図６】
2020120238.tif 000008
【図７】
2020120238.tif 000009
【図８】
2020120238.tif 000010
【図９】
2020120238.tif 000011
【図１０】
2020120238.tif 000012
【図１１】
2020120238.tif 000013
【図１２】
2020120238.tif 000014
【図１３】
2020120238.tif 000015
【図１４】
2020120238.tif 000016